(57)【要約】      （修正有）【課題】アーチ材の罫書きを正確、かつ、容易に行うことができるアーチ材用罫書き具を提供する。【解決手段】アーチ材用罫書き具１であって、第１の点Ｐ９と第２の点Ｐ７と第３の点Ｐ１と第４の点Ｐ６と第５の点Ｐ２と第６の点Ｐ８とに囲まれて形成された図形の面を有する基台２と、直線状の端縁が形成された直定規３とを備え、第１の点、及び、第４の点は、端縁上に形成され、第２の点と第１の点を結ぶ線の長さと、第６の点と第１の点を結ぶ線の長さは、等しく形成され、第３の点と第４の点を結ぶ線の長さと、第５の点と第４の点を結ぶ線の長さは、等しく形成され、第４の点は、鈍角で構成された頂点、又は、曲線上の点のうちのいずれか一方で形成され、第３の点及び第５の点は、加工材に点接触可能な角部で形成されていることを特徴とする。【選択図】図２
0003200107.tif 000002
【実用新案登録請求の範囲】
【請求項１】
第１の点（Ｐ９）と第２の点（Ｐ７）と第３の点（Ｐ１）と第４の点（Ｐ６）と第５の点（Ｐ２）と第６の点（Ｐ８）とに囲まれて形成された図形の面を有する基台（２）と、
直線状の端縁（ｓｅ１）が形成された直定規（３）とを備え、
前記第１の点（Ｐ９）、及び、前記第４の点（Ｐ６）は、前記端縁（ｓｅ１）上に形成され、
前記第２の点（Ｐ７）と前記第１の点（Ｐ９）を結ぶ線の長さと、前記第６の点（Ｐ８）と前記第１の点（Ｐ９）を結ぶ線の長さは、等しく形成され、
前記第３の点（Ｐ１）と前記第４の点（Ｐ６）を結ぶ線の長さと、前記第５の点（Ｐ２）と前記第４の点（Ｐ６）を結ぶ線の長さは、等しく形成され、
前記第４の点（Ｐ６）は、鈍角で構成された頂点、又は、曲線上の点のうちのいずれか一方で形成され、
前記第３の点（Ｐ１）及び前記第５の点（Ｐ２）は、加工材に点接触可能な角部で形成されている
ことを特徴とするアーチ材用罫書き具。
【請求項２】
前記第３の点（Ｐ１）と前記第４の点（Ｐ６）とを結ぶ線は、線分で形成され、
前記第５の点（Ｐ２）と前記第４の点（Ｐ６）とを結ぶ線は、線分で形成されている
ことを特徴とする請求項１に記載のアーチ材用罫書き具。
【請求項３】
前記第３の点（Ｐ１）と前記第４の点（Ｐ６）とを結ぶ線は、曲線で形成され、
前記第５の点（Ｐ２）と前記第４の点（Ｐ６）とを結ぶ線は、曲線で形成されている
ことを特徴とする請求項１に記載のアーチ材用罫書き具。
【請求項４】
前記第３の点（Ｐ１）と前記第７の点（Ｐ７）とを結ぶ線は、線分、又は、曲線で形成され、前記第５の点（Ｐ２）と前記第６の点（Ｐ１）とを結ぶ線は、線分、又は、曲線で形成されている
ことを特徴とする請求項１乃至請求項３のいずれか１項に記載のアーチ材用罫書き具。
【請求項５】
前記第１の点（Ｐ９）の点は、曲線上の点で形成されている
ことを特徴とする請求項１乃至請求項４のいずれか１項に記載のアーチ材用罫書き具。
【請求項６】
前記第２の点（Ｐ７）と前記第１の点（Ｐ９）とを結ぶ線は、線分（ｓ３）で形成され、
前記第６の点（Ｐ８）と前記第１の点（Ｐ９）とを結ぶ線は、線分（ｓ４）で形成され、
前記第１の点（Ｐ９）は、直角で構成された頂点で形成されている
ことを特徴とする請求項１乃至請求項４のいずれか１項に記載のアーチ材用罫書き具。
【考案の詳細な説明】
【技術分野】
【０００１】
本考案は、罫書き具に関し、特に、アーチ材用罫書き具に関するものである。
【背景技術】
【０００２】
日本の物作りの巧みさは世界に誇れるものがあり、従来から、木造による大断面構造のアーチ状全天候型野球場や、鋼構造による円形ミュージアム等、数多くのアーチ状構造物や円形構造物が建築されている。これらの構造物の設計・加工において、図面の作成は、コンピュータを利用して行われることが多い。そして、作成した図面データに基づいて、上記の構造物を構成するアーチ材・円形材等の加工材の切断や穴開け等の加工を行うためには、加工材への罫書き作業が必要である。通常、小規模の加工材については、加工専門の工場において、図面データに基づいて、コンピュータに制御された加工装置を利用して加工作業が行われることが多い。一方、上記のアーチ状構造物や円形構造物に用いる大規模な加工材の罫書き作業は、加工装置で行うことはできず、建築作業現場において大工等の職人が手作業で行っているのが現状であり、例えば、幅が９０ｃｍで、長さが１５ｍもあるような大規模アーチ材の罫書き作業は、市販のコンパス、差し金、スコヤ等を用いて行われている。しかしながら、コンパス、差し金、スコヤ等を駆使して罫書き作業を行い、アーチ材を正確に、かつ、工期内に作り上げることは、非常に困難である。
【０００３】
ところで、上記の小規模の加工材の罫書きを想定した従来の罫書き具に関する文献として、下記の特許文献１〜４がある。特許文献１〜３には、円柱形状または円環形状のワークに対し、その底面の中心線を容易かつ正確に罫書くことができる罫書き具が記載されている。
特許文献１に記載の罫書き具は、Ｖ溝を有するＶブロックと、このＶブロックに固定された直定規とを備え、この直定規は、前記Ｖ溝がなす角の２等分線上に位置する中心線決め端縁を有することを特徴とする。
【０００４】
特許文献２に記載の罫書き具は、Ｖ溝を有するＶブロックと、このＶブロックに固定されたガイドと、このガイドに前記Ｖ溝がなす角の２等分線上に沿って摺動自在に支持されたジョーと、このジョーに設けられ前記２等分線上に位置する罫書き針とを備えたことを特徴とする。
【０００５】
特許文献３に記載の罫書き具は、Ｖ溝を有するＶブロックと、そのＶ溝がなす角の２等分線上で罫書き針を案内する直定規と、角度ゲージとを備え、前記直定規は、Ｖブロックに前記２等分線に沿う方向へ摺動可能に支持し、前記角度ゲージは、前記直定規に前記Ｖ溝がなす角を含む平面と直交する方向性を有する軸を中心として回転可能に支持するとともに、前記軸と直交する平面上に位置する直線状端縁を有することを特徴とする。
【０００６】
さらに、特許文献４には、円の中心点を簡単、且つ正確に求めることができる定規が記載され、この定規は、Ｌ型材３に対し、このＬ型材３の内側２辺の交点より、その内角の半分の角度を規定した直線定規２を備えたことを特徴とする。
【先行技術文献】
【特許文献】
【０００７】
【特許文献１】特開平０６−１２６６５６号公報
【特許文献２】特開平０６−１２６６５７号公報
【特許文献３】特開平０６−１２６６５８号公報
【特許文献４】実用新案登録第３０３０９７２号公報
【考案の概要】
【考案が解決しようとする課題】
【０００８】
上記特許文献１〜３は、円柱形状または円環形状のワークに対し、その底面の中心線を容易かつ正確に罫書く罫書き具について記載されており、特許文献１〜３には、上述した大断面構造のアーチ状全天候型野球場等に用いられるような大規模な加工材であるアーチ材の罫書き具に関しては、何ら記載されていないし、示唆もされていない。また、特許文献４は、円柱、丸棒、並びに紙上に画かれた円等の中心点を求める定規について記載されており、特許文献４には、上述したアーチ材の罫書き具に関しては、何ら記載されていないし、示唆もされていない。
【０００９】
ここで、従来技術の問題点を説明する。図１０に示すように、特許文献１〜３に記載された従来技術の罫書き具１２１は、側面が回転体面をなすワークＷの底面の中心線を罫書くとき、まず、Ｖブロック１２２のＶ溝１２４の両面にワークＷの側面を線接触させるとともに、直定規１２３（不図示）をワークＷの底面にあてがっている。したがって、従来技術の罫書き具１２１を、仮に、曲率半径の大きい大規模な円柱形状または円環形状のワークＷ’用に作成する場合、図１０に示すように、ＶブロックのＶ溝の両面にワークＷ’の側面を線接触させるためには、Ｖ溝１２４’をワークＷ’の形状に合わせて大きく形成しなければならず、したがって、Ｖブロック１２２’の形状も大きくなり、かつ、罫書き具１２１’全体の重量も増加し、罫書きを手作業で行うことに鑑みれば、非常に作業しずらくなる、あるいは、手作業では、罫書き具１２１’を操作することができないという問題が発生する。特に、アーチ材は、通常、曲率半径が大きい大規模な加工材であるので、従来技術では、アーチ材の罫書きを手作業で行うことができる罫書き具は実現できない。
【００１０】
また、特許文献４に記載された定規は、中心決めをする円柱、又は丸棒等の外周をＬ型材３内辺に接触させるものであり、上述したような特許文献１〜３に記載された罫書き具と同様の問題を有している。
よって、特許文献１〜４に記載された従来技術からは、大断面構造のアーチ状全天候型野球場等に用いられる大規模なアーチ材や大規模な円柱形状材等に対して罫書きすること、及び、そのための罫書き具については、予測することができない。
【００１１】
さらに、特許文献１〜４に記載の発明は、円柱形状の加工材の外周にＶ溝の両面を線接触させるという技術思想に基づいたものであり、アーチ材や円環形状材の内周を利用するという技術思想、及び、罫書き具を加工材に点接触させるという技術思想については全く記載されておらず、示唆もされていない。
【００１２】
本考案は、以上の通りの事情に鑑みてなされたものであり、アーチ材の罫書きを、正確に、かつ、容易に行うことができるアーチ材用罫書き具を提供することを目的とする。
【００１３】
また、本考案は、アーチ材の内周面又は外周面を利用して、アーチ材の罫書きを、正確に、かつ、容易に行うことができるアーチ材用罫書き具を提供することを目的とする。
【００１４】
また、本考案は、アーチ材以外の、直材、円柱形状材等の罫書きを、正確に、かつ容易に行うことができるアーチ材用罫書き具を提供することを目的とする。
【課題を解決するための手段】
【００１５】
上記の目的を達成するため、本考案のアーチ材用罫書き具は、第１の点（Ｐ９）と第２の点（Ｐ７）と第３の点（Ｐ１）と第４の点（Ｐ６）と第５の点（Ｐ２）と第６の点（Ｐ８）とに囲まれて形成された図形の面を有する基台（２）と、直線状の端縁（ｓｅ１）が形成された直定規（３）とを備え、前記第１の点（Ｐ９）、及び、前記第４の点（Ｐ６）は、前記端縁（ｓｅ１）上に形成され、前記第２の点（Ｐ７）と前記第１の点（Ｐ９）を結ぶ線の長さと、前記第６の点（Ｐ８）と前記第１の点（Ｐ９）を結ぶ線の長さは、等しく形成され、前記第３の点（Ｐ１）と前記第４の点（Ｐ６）を結ぶ線の長さと、前記第５の点（Ｐ２）と前記第４の点（Ｐ６）を結ぶ線の長さは、等しく形成され、前記第４の点（Ｐ６）は、鈍角で構成された頂点、又は、曲線上の点のうちのいずれか一方で形成され、前記第３の点（Ｐ１）及び前記第５の点（Ｐ２）は、加工材に点接触可能な角部で形成されていることを第１の特徴とする。
【００１６】
上記の目的を達成するため、本考案のアーチ材用罫書き具は、前記第３の点（Ｐ１）と前記第４の点（Ｐ６）とを結ぶ線は、線分で形成され、前記第５の点（Ｐ２）と前記第４の点（Ｐ６）とを結ぶ線は、線分で形成されていることを第２の特徴とする。
【００１７】
上記の目的を達成するため、本考案のアーチ材用罫書き具は、前記第３の点（Ｐ１）と前記第４の点（Ｐ６）とを結ぶ線は、曲線で形成され、前記第５の点（Ｐ２）と前記第４の点（Ｐ６）とを結ぶ線は、曲線で形成されていることを第３の特徴とする。
【００１８】
上記の目的を達成するため、本考案のアーチ材用罫書き具は、前記第３の点（Ｐ１）と前記第７の点（Ｐ７）とを結ぶ線は、線分、又は、曲線で形成され、前記第５の点（Ｐ２）と前記第６の点（Ｐ１）とを結ぶ線は、線分、又は、曲線で形成されていることを第４の特徴とする。
【００１９】
上記の目的を達成するため、本考案のアーチ材用罫書き具は、前記第１の点（Ｐ９）の点は、曲線上の点で形成されていることを第５の特徴とする。
【００２０】
上記の目的を達成するため、本考案のアーチ材用罫書き具は、前記第２の点（Ｐ７）と前記第１の点（Ｐ９）とを結ぶ線は、線分（ｓ３）で形成され、前記第６の点（Ｐ８）と前記第１の点（Ｐ９）とを結ぶ線は、線分（ｓ４）で形成され、前記第１の点（Ｐ９）は、直角で構成された頂点で形成されていることを第６の特徴とする。
【考案の効果】
【００２１】
本考案のアーチ材用罫書き具によれば、特に曲率半径の大きい加工材であるアーチ材の罫書きを正確、かつ、容易に行うことができるという効果を奏する。また、本考案のアーチ材用罫書き具によれば、アーチ材の外周面だけでなく、従来技術では不可能であった内周面を利用した罫書きを、正確、かつ、容易に実現することができるという効果を奏する。また、本考案のアーチ材用罫書き具によれば、曲率半径の小さいアーチ材及び円柱形状材等の加工材についても、加工材の外周を利用して罫書きを正確、かつ、容易に行うことができるという効果を奏する。
【図面の簡単な説明】
【００２２】
【図１】本考案のアーチ材用罫書き具を作成する原理を示す図である。
【図２】本考案の実施形態におけるアーチ材用罫書き具の右側面図である。
【図３】本考案の実施形態におけるアーチ材用罫書き具の左側面図である。
【図４】本考案の実施形態におけるアーチ材用罫書き具の右後方からみた斜視図である。
【図５】本考案の実施形態におけるアーチ材用罫書き具を用いたアーチ材の罫書き線を説明する図である。
【図６】本考案の実施形態におけるアーチ材用罫書き具を用いたアーチ材の上面及び下面の罫書きを説明する図である。
【図７】本考案の実施形態におけるアーチ材用罫書き具を用いたアーチ材の側面の罫書きを説明する図である。
【図８】本考案の実施形態におけるアーチ材用罫書き具を用いた直材の罫書きを説明する図である。
【図９】本考案の実施形態におけるアーチ材用罫書き具を用いた円柱形状材の罫書きを説明する図である。
【図１０】従来技術の罫書き具の問題点を示す図である。
【考案を実施するための形態】
【００２３】
以下、本考案の一実施形態について、図面を参照しながら説明する。但し、下記の実施形態は、本考案を具現化したに過ぎず、本考案はこれに限定されるものではない。
【００２４】
まず、図１（ａ）〜図１（ｄ）を参照しながら、本考案のアーチ材用罫書き具を作成するための原理について説明する。ここで、アーチ材の外周と内周は、円周の一部であることから、アーチ材の中心線を求めるためには、円の中心線を求める方法を利用するので、説明を分かりやすくするために、まず、円の中心線を求める方法について説明する。
【００２５】
図１（ａ）に示された円Ｃ１の中心線を求めるためには、まず、円Ｃ１の円周上の任意の点Ｐ１及び点Ｐ２を結ぶ弦（線分）ｓｌ１を引く。点Ｐ１及び点Ｐ２は、弦ｓｌ１の両端点であり、円弧ａ１の両端点でもある。次に、コンパスを用いて、点Ｐ１を中心とする半径ｒ１の円Ｃ２を描く。同様に、点Ｐ２を中心とする半径ｒ２の円Ｃ３を描く。このとき、半径ｒ１と半径ｒ２は等しい長さとし、円Ｃ２と円Ｃ３が点Ｐ３と点Ｐ４の交点を有するように半径ｒ１，ｒ２の長さを設定する。なお、円Ｃ２と円Ｃ３は、交点付近のみ図示する。次に、点Ｐ３と点Ｐ４を線分（直線でもよいが、ここでは、便宜上、線分とする。）ｓｌ２で結ぶ。この線分ｓｌ２は、弦（線分）ｓｌ１の垂直二等分線上にあり、円Ｃ１の中心線上にある。点Ｐ５は、線分ｓｌ１と線分ｓｌ２との交点である。点Ｐ５と点Ｐ１を結ぶ線の長さと、点Ｐ５と点Ｐ２を結ぶ線の長さは、等しい。線分ｓｌ２に沿って加工材に罫書き線を引く際には、直定規や差し金等を用いている。なお、図１（ｂ）に示すように、線分ｓｌ１とは別の弦（線分）を用いて、同様の方法で求めた線分ｓｌ３と線分ｓｌ２との交点が円Ｃ１の中心点ｃｐ１である。
【００２６】
このようにして、コンパス、直定規、差し金等を用いて、複数の作業工程を経て円の中心線、又は、中心点を求め、中心線の罫書きを行うことができる。上記の例は、単に円Ｃ１の任意の中心線を罫書きするものであるが、円Ｃ１の円周上の特定の点を通る中心線を罫書く場合は、コンパスを用いてこの特定の点から等しい長さにある円周上の２点（点Ｐ１及び点Ｐ２に対応する点）を求める作業工程が最初に必要となり、作業工程が増加する。
【００２７】
ここで、点Ｐ３は、点Ｐ１及び点Ｐ２からの長さが等しく、線分ｓｌ２上にある点であればよいので、点Ｐ３は、図１（ｃ）に示すように、点Ｐ５に近い側の線分ｓｌ２上の点Ｐ６であってもよい。そこで、点Ｐ６，点Ｐ１，点Ｐ２，線分ｓｌ２に基づいて、アーチ材用罫書き具の作成ついて検討する。
【００２８】
弦（線分）ｓｌ１に対応する円弧ａ１は、図１（ｃ）に示すように、アーチ材ＡＭ１の内周ｉｃ１の一部である。したがって、点Ｐ１及び点Ｐ２をアーチ材ＡＭ１の内周ｉｃ１に点接触させるためには、まず、罫書き具の構成部品として、点Ｐ６，点Ｐ１，点Ｐ２を頂点とする三角形の面を有する基台Ｂを作成すればよい。次に、円Ｃ１の中心線、つまり、アーチ材ＡＭ１の中心線である線分ｓｌ２に沿って罫書き線を引くためには、線分ｓｌ２上に直線状の端縁ｓｅ１を有する直定規ＳＥを設ければよい。なお、「頂点」とは、角を作る２直線の交点であり、多角形の辺の交点でもある。また、「角部」とは、二つの線や面が出会う尖った部分のことをいう。
【００２９】
ここで、点Ｐ６，点Ｐ１，点Ｐ２を３つの頂点とする三角形において、点Ｐ１を頂点とする角、及び、点Ｐ２を頂点とする角は、図示のように、鋭角であるので、実使用時に作業者が怪我をする虞があり、安全上の問題がある。また、鋭角であることから、基台Ｂの両先端部が細いので、実使用時に先端部が加工材等に衝突して変形する虞があり、品質上の問題がある。そこで、本出願人は、図１（ｄ）に示すように、点Ｐ１近傍に点Ｐ７、点Ｐ２近傍に点Ｐ８、点Ｐ６近傍の線分ｓｌ２上に点Ｐ９を設けて、点Ｐ９，点Ｐ７，点Ｐ１，点Ｐ２，点Ｐ８で囲まれた五角形の面を有する基台Ｂを考案した。図示するように基台Ｂの両先端部の角度ができるだけ大きくなるように形成し、一定の幅を有する基台を形成すれば、安全性、品質の二つの課題を同時に解決することができる。点Ｐ７と点Ｐ８は、線分ｓｌ２に対して対称な位置にあり、点Ｐ７と点Ｐ９を結ぶ線分の長さと、点Ｐ８と点Ｐ９を結ぶ線分の長さは等しくする。また、点Ｐ９を頂点として構成された角の二等分線上に直線ｓｌ２、つまり、直定規ＳＥの端縁ｓｅ１が位置している。この直定規ＳＥも、変形防止のため一定の幅をもって形成されるが、軽量化も考慮して、図１（ｄ）に示すように、基台Ｂに固定する側の直定規の幅を変形防止ができる程度の幅に拡幅形成して、直定規ＳＥの先端側の幅を狭く形成している。なお、点Ｐ７を有する角部と点Ｐ８を有する角部を曲線状に形成し、点Ｐ７，点Ｐ８が曲線上の点で形成されるようにしてもよい。例えば、点Ｐ７，点Ｐ８が、それぞれ、円弧上の点で形成されるようにしてもよい。
【００３０】
図１（ｄ）から見てとれるように、点Ｐ１及び点Ｐ２が弦（線分）ｓｌ１の両端に形成されているので、この形状では、点Ｐ１及び点Ｐ２を、アーチ材ＡＭ１の内周ｉｃ１に点接触させることはできるが、外周ｏｃ１に点接触させることはできない。そこで、本出願人は、点Ｐ１及び点Ｐ２をアーチ材の内周ｉｃ１だけでなく外周ｏｃ１にも点接触させて中心線の罫書きを行うことができるように、線分ｓｌ１に代えて、点Ｐ９側に湾曲した曲線ｃｌ１を形成することを見いだした。この曲線ｃｌ１と線分ｓｌ２との交点を点Ｐ６とすれば、点Ｐ６と点Ｐ１を結ぶ曲線の長さと、点Ｐ６と点Ｐ２を結ぶ曲線の長さは等しい。なお、曲線ｃｌ１は、点Ｐ１，点Ｐ６，点Ｐ２を通る円弧でもよい。
【００３１】
ここで、実際に罫書き具を作成する際に、曲線形状の加工は直線形状の加工よりも難しい。さらに、上記の曲線ｃｌ１は、点Ｐ６と点Ｐ１を結ぶ曲線の長さと、点Ｐ６と点Ｐ２を結ぶ曲線の長さを等しくしなければならないので、所定の加工精度が求められる。したがって、罫書き具の量産性を考慮すると、直線形状に加工した方がよい。
そこで、本出願人は、点Ｐ６を利用して、点Ｐ９，点Ｐ７，点Ｐ１，点Ｐ６，点Ｐ２，点Ｐ８を頂点とし、この６つの頂点で囲まれた図形の面を有する基台Ｂを形成することを考案した。本願の特許請求の範囲に記載された第１の点，第２の点，第３の点，第４の点，第５の点，第６の点は、それぞれ、点Ｐ９，点Ｐ７，点Ｐ１，点Ｐ６，点Ｐ２，点Ｐ８に対応する。点Ｐ６と点Ｐ１を結ぶ線を線分ｓ１で形成し、点Ｐ６と点Ｐ２を結ぶ線を線分ｓ２で形成し、線分ｓ１の長さと、線分ｓ２の長さは等しい。曲線ｃｌ１に代えて、線分ｓ１と線分ｓ２で形成したことにより、加工性が向上する。
このように基台Ｂを形成すれば、アーチ材の内周ｉｃ１側からだけでなく、アーチ材の外周ｏｃ１側からも、中心線を求めて罫書きすることができ、さらに、従来技術のように、曲率半径が小さいアーチ材や円柱形状材等の加工材は、線分ｓ１と、線分ｓ２とを、加工材の外周に線接触させて、中心線、中心点を求めることができる。
【００３２】
また、点Ｐ９を頂点とする角は、直角（９０度）に形成されている。点Ｐ９を頂点とする角の二等分線上に直定規ＳＥの端縁ｓｅ１が位置していることから、この直定規ＳＥの端縁ｓｅ１と、点Ｐ９と点Ｐ７を結ぶ線分ｓ３とは、４５度の角度を形成しており、直定規ＳＥの端縁ｓｅ１と、点Ｐ９と点Ｐ８を結ぶ線分ｓ４とは、４５度の角度を形成しているので、これらの直定規ＳＥの端縁ｓｅ１、線分ｓ３、線分ｓ４を利用して、加工材に４５度の角度を有する罫書き線を引くことができる。罫書き作業においては、４５度の角度を有する罫書き線を引くことが多いので、このように形成することで、罫書き具を留め定規としても用いることができ、使い勝手がよい。なお、上記の４５度の罫書き線を引く機能がなくてよければ、点Ｐ９の角部の角度は、９０度以外の角度でもよい。また、点Ｐ９の角部を曲線状に形成し、点Ｐ９が曲線上の点で形成されるようにしてもよい。例えば、点Ｐ９が、円弧上の点で形成されるようにしてもよい。この場合も、点Ｐ７と点Ｐ９を結ぶ曲線の長さと、点Ｐ８と点Ｐ９を結ぶ曲線の長さは等しくする。つまり、点Ｐ９と点Ｐ６は、端縁ｓｅ１上に形成される。
【００３３】
以上、アーチ材用罫書き具を作成する原理について説明した。次に、上記の原理に基づいて作成されたアーチ材用罫書き具の具体的な構成について説明する。ここでは、上述したように、点Ｐ９，点Ｐ７，点Ｐ１，Ｐ６，点Ｐ２，点Ｐ８を頂点とし、この６つの頂点で囲まれた多角形の面を有する基台と、直線状の端縁を有する直定規とで構成されたアーチ材用罫書き具について、主に説明する。この構成は、アーチ材用罫書き具の作りやすさ、つまり、アーチ材用罫書き具自体の加工容易性考慮して考案された構成である。図２は、本考案の実施形態のアーチ材罫書き具の右側面であり、図３は、その左側面図であり、図４は、その右後方から見た斜視図である。
【００３４】
図２、図３に示すように、側面視においては、本考案のアーチ材用罫書き具１は、加工材に点接触される二つの点Ｐ１及び点Ｐ２を有する基台２と、直線状の端縁ｓｅ１を有し基台２に固定された直定規３とを備えている。ここで、基台２は、図４の斜視図に示すように、一定の厚みを有し、点Ｐ９，点Ｐ７，点Ｐ１，点Ｐ６，点Ｐ２，点Ｐ８を頂点とする多角形の面４Ｒ，４Ｌが左右対称に形成されている。したがって、実際には、点Ｐ１についてみれば、面４Ｒの点Ｐ１と面４Ｌの点Ｐ１とを結ぶ線分（辺）ｓｐ１がアーチ材等の加工材に接触し、点Ｐ２についてみれば、面４Ｒの点Ｐ２と面４Ｌの点Ｐ２とを結ぶ線分（辺）ｓｐ２がアーチ材等の加工材に接触するのであるが、線分ｓｐ１は点Ｐ１の集合体であり、線分ｓｐ２は点Ｐ２の集合体であり、理解しやすいように、便宜上、面４Ｒの点Ｐ１と面４Ｌの点Ｐ１とを結ぶ線分ｓｐ１がアーチ材（加工材）に接触することを、点Ｐ１がアーチ材（加工材）に点接触すると表現し、面４Ｒの点Ｐ２と面４Ｌの点Ｐ２とを結ぶ線分ｓｐ２がアーチ材（加工材）に接触することを、点Ｐ２がアーチ材（加工材）に点接触すると表現することにする。
【００３５】
点Ｐ１と点Ｐ６を結ぶ線分（内辺ｓ１）の長さと、点Ｐ２と点Ｐ６を結ぶ線分（内辺ｓ２）までの長さは等しく、点Ｐ７と点Ｐ９を結ぶ線分（外辺ｓ３）の長さと、点Ｐ８と点Ｐ９を結ぶ線分（外辺ｓ４）の長さは等しく、点Ｐ１と点Ｐ７を結ぶ線分（辺７ａ）と点Ｐ２と点Ｐ８を結ぶ線分（辺７ｂ）の長さは等しい。点Ｐ９，点Ｐ６は、端縁ｓｅ１上、つまり、加工するアーチ材の中心線上にある。つまり、点Ｐ１と点Ｐ２を、加工するアーチ材の内周（内周面）、又は、外周（外周面）に点接触させ、直定規３を加工するアーチ材の上面にあてがい、端縁ｓｅ１に沿って罫書きすれば、１回の作業工程で、アーチ材の上面の中心線を罫書きすることができる。また、点Ｐ１と点Ｐ２を、加工するアーチ材の内周（内周面）、又は、外周（外周面）に点接触させ、直定規３を加工するアーチ材の下面にあてがい、端縁ｓｅ１に沿って罫書きすれば、１回の作業工程で、アーチ材の下面の中心線を罫書きすることができる。
【００３６】
また、図２〜図４に示すように、本考案のアーチ材用罫書き具１の基台２は、側面視（図２，図３参照。）で、内辺ｓ１，ｓ２から構成されるＶ字形内辺５と、外辺ｓ３，ｓ４から構成されるＬ字形外辺６と、内辺ｓ１と外辺ｓ３とを結ぶ辺７ａと、内辺ｓ２と外辺ｓ４とを結ぶ辺７ｂとを有している。外辺ｓ３と外辺ｓ４との交点が点Ｐ９、外辺ｓ３と辺７ａとの交点が点Ｐ７、辺７ａと内辺ｓ１との交点が点Ｐ１、内辺ｓ１と内辺ｓ２との交点が点Ｐ６、内辺ｓ２と辺７ｂとの交点が点Ｐ２、辺７ｂと外辺ｓ４との交点が点Ｐ８である。点Ｐ６を頂点とする角部（内辺ｓ１と内辺ｓ２の交点の角部）の角θ１は鈍角に形成され、点Ｐ９を頂点とする角部（外辺ｓ３と外辺ｓ４の交点の角部）の角θ２は直角（９０度）に形成され、基台２は、いわゆる全翼機の後退翼に類似した形状をなしている。図４に示すように、基台２は、一定の厚みを有して形成されており、自立可能である。これにより、アーチ材用罫書き具１は、台付きスコヤとしても用いることができる。
【００３７】
上記のように、角θ２を直角（９０度）に形成したことで、従来技術（特許文献１〜３参照。）に比べ、基台２（従来技術のＶブロックに対応する）の軽量化が図られている。
【００３８】
直定規３は、角θ２の二等分線上であって、かつ、角θ１の二等分線上に位置する直線状の端縁ｓｅ１を備えている。この端縁ｓｅ１と内辺ｓ１の交点の角部の角θ１ａの角度と、端縁ｓｅ１と内辺ｓ２の交点の角部の角θ１ｂの角度は等しく、それぞれ、内辺ｓ１と内辺ｓ２の交点の角部の角θ１の角度の１／２である。また、端縁ｓｅ１と外辺ｓ３の交点の角部の角θ２ａの角度と、端縁ｓｅ１と外辺ｓ４の交点の角部の角θ２ｂの角度は等しく、それぞれ、外辺ｓ３と外辺ｓ４の交点の角部の角θ２の角度の１／２であり、４５度である。
【００３９】
ここで、角θ１の角度は、上述したように、点Ｐ１と点Ｐ２とをアーチ材の内周面と外周面の両方に点接触可能にするために鈍角に形成したものであるが、これにより、小規模の円柱形状材等のワークの側面に、内辺ｓ１，ｓ２を線接触させて罫書きするような場合、従来の罫書き具に比べ、より大きな曲率半径を有するワークに罫書きすることができるという効果も奏する。鈍角の角度を大きくするほど、より曲率半径の大きいワークに対応できる。同じ曲率半径のワークについて言えば、角θ１の角度を大きくするほど、基台２を小さく形成することができる、つまり、アーチ材用罫書き具１を小型化することができる。
【００４０】
上述したように、基台２は、点Ｐ９，点Ｐ７，点Ｐ１，点Ｐ６，点Ｐ２，点Ｐ８を頂点とする多角形の面４Ｒ，４Ｌが左右対称に形成されて構成されている。表現を変えれば、基台２は、内辺ｓ１，ｓ２、外辺ｓ３，ｓ４、辺７ａ，７ｂから形成される多角形の面４Ｒ，４Ｌが左右対称に形成されて構成されている。直定規３は、基台２の一方の面４Ｌに固定されているが、基台２の他方の面４Ｒに固定されてもよい。
【００４１】
また、直定規３の幅は、基台２への固定部分２ｆが、直定規３の先端部に比べ拡幅に形成されている。これにより、直定規３の基台２への固定部分２ｆの面積が広くなり、固定部分２ｆの強度が大きくなって、罫書き作業時のアーチ材用罫書き具１の変形が防止される。そして、直定規３を、基台２から遠ざかる先端側に向かって、幅が狭くなるように形成したので、無駄な部分が削除されることで軽量化される。なお、軽量化の要求度合いによっては、直定規３の基台２への固定部２ｆと先端部とを等幅に形成してもよい。
【００４２】
本考案のアーチ材用罫書き具を作成するための原理について説明したように、線分ｓ１，ｓ２に代えて曲線で形成してもよいし、点Ｐ１と点Ｐ６と点Ｐ２が同一円弧上にあるように形成してもよい。この場合も、点Ｐ１と点Ｐ６を結ぶ曲線の長さと、点Ｐ２と点Ｐ６を結ぶ曲線の長さは等しくする。また、アーチ材の内周面を使い、外周面を使わない構成にするならば、角θ１の角度を１８０度にして、点Ｐ１と点Ｐ２とを一つの線分で結んだ構成にしてもよい（図１（ｄ）参照。）。また、前述したように、４５度の罫書き線を引く機能が不要であれば、角θ２の角度は、９０度でなくてもよい。また、点Ｐ９の角部を曲線状に形成し、点Ｐ９が曲線上の点で形成されるようにしてもよい。例えば、点Ｐ９が、円弧上の点で形成されるようにしてもよい。このときも、点Ｐ１と点Ｐ２は角部に形成されて、アーチ材に点接触可能である。
【００４３】
さらに、線分ｓ３，線分ｓ４に代えて、それぞれ曲線で形成してもよいし、点Ｐ７と点Ｐ９と点８とが同一曲線、例えば、同一円弧上にあるように形成してもよい。この場合も、点Ｐ７と点Ｐ９を結ぶ曲線の長さと、点Ｐ８と点Ｐ９を結ぶ曲線の長さは等しくなるように形成した方がよい。また、点Ｐ１と点Ｐ７とが、曲線上の点、例えば、円弧上の点で形成され、点Ｐ２と点Ｐ８とが、曲線上の点、例えば、円弧上の点で形成されてもよい。つまり、線分（辺）７ａと、線分（辺）７ｂに代えて、それぞれ、曲線、例えば、円弧で形成してもよい。
【００４４】
なお、いろいろな変形例について述べてきたが、いずれの変形例においても、点Ｐ１と点Ｐ２は、加工材に点接触可能な角部に形成されている。この角部は、直線（線分）と直線（線分）との交点以外にも、直線（線分）と曲線との交点、曲線と曲線との交点でも形成することができる。
【００４５】
次に、本考案のアーチ材用罫書き具１について、その作用を説明する。図５〜図７は、本考案のアーチ材用罫書き具１を用いたアーチ材ＡＭ１の罫書きを説明する図である。ここで、曲率半径が小さいアーチ材・円柱形状材等のワークについては、上述した従来技術と同様に、アーチ材用罫書き具１の基台２のＶ字形内辺５を構成する内辺ｓ１，ｓ２を、ワークの側面に線接触させて、ワークに中心線を罫書きすることができる（図９（ａ）参照。）。
【００４６】
図５に示すように、一定の厚みを有するアーチ材ＡＭ１を加工するために四つの周面全部に罫書きする場合、本考案のアーチ材用罫書き具１を用いれば、４回の操作で罫書きを完了することができる。図５には、アーチ材ＡＭ１の４つの周面である上面２１，内周側面２２，下面２３，外周側面２４に、それぞれ、罫書き線２１ａ，２２ａ，２３ａ，２４ａが引かれた状態を示している。４本の罫書き線の内、上面２１に引かれた罫書き線２１ａはアーチ材ＡＭ１の上面の中心線であり、下面２３に引かれた罫書き線２３ａはアーチ材ＡＭ１の下面の中心線であり、それぞれ、図６（ａ）、又は、図６（ｂ）のいずれかの技術によって罫書きすることができる。
【００４７】
図６（ａ）について説明すると、まず、点Ｐ１，Ｐ２をアーチ材ＡＭ１の内周側面２２に点接触させ、直定規３をアーチ材ＡＭ１の上面２１にあてがう。直定規３の端縁ｓｅ１は、点Ｐ６を頂点とする鈍角、つまり、基台２のＶ字形内辺５を構成する内辺ｓ１，ｓ２で形成される鈍角の二等分線上に位置する（図２，３参照。）とともに、点Ｐ９を頂点とする直角、つまり、基台２のＬ字形外辺６を構成する外辺ｓ３，ｓ４で形成される直角の二等分線上に位置する（図２，３参照。）ので、端縁ｓｅ１は、アーチ材ＡＭ１の中心線上に位置決めされる。したがって、この状態で端縁ｓｅ１に沿って罫書きすれば、１回の作業工程で、アーチ材ＡＭ１の上面２１の中心線の罫書き線２１ａを引くことができる。図６（ｂ）について説明すると、点Ｐ１，Ｐ２をアーチ材ＡＭ１の外周側面２４に点接触させることで、１回の作業工程で罫書き線２１ａを引くことができる。下面２３の罫書き線２３ａの罫書き作業についても、同様に、図６（ａ）、又は、図６（ｂ）のいずれかの技術を用いて行うことができる。
【００４８】
次に、アーチ材ＡＭ１の外周側面２４の罫書き線２４ａ、及び、内周側面２２の罫書き線２２ａの罫書き技術について説明する。図７に示すように、罫書き線２４ａは、アーチ材用罫書き具１の点Ｐ１，Ｐ２を、アーチ材ＡＭ１の上面２１、又は、下面２３に点接触させ、直定規３をアーチ材ＡＭ１の外周側面２４にあてがうことで、罫書きすることができる。同様に、罫書き線２２ａ（図５参照。）は、点Ｐ１，Ｐ２を、アーチ材ＡＭ１の上面２１、又は、下面２３に点接触させ、直定規３をアーチ材ＡＭ１の内周側面２２にあてがうことで、罫書きすることができる。このアーチ材ＡＭ１の外周側面２４及び内周側面２２に罫書きを行う技術は、図９（ｂ）に示すように、円柱形状材の側面の罫書きにも適用できる。
以上のように、アーチ材の４つの周面の罫書き線を、４回の罫書き操作で、正確、かつ、容易に引くことができる。
【００４９】
本考案のアーチ材用罫書き具１は、曲率半径の大きいアーチ材の罫書きを正確かつ容易に行うために考案されたものであるが、アーチ材だけでなく、直材、円柱形状材の罫書きも行うことができる。また、曲率半径の小さいアーチ材や円柱形状材等の加工材については、基台２のＶ字形内辺５を加工材の側面に線接触させて罫書きすることができる。
【００５０】
図８は、本考案のアーチ材用罫書き具１を用いた直材ＳＴ１の罫書きを説明する図である。直材ＳＴ１は、平面視において、長方形状をなし、上面３１と、上面３１の周辺である短辺３１ａ，３１ｃと、長辺３１ｂ，３１ｄとを有する。図８（ａ）は、短辺３１ａ，３１ｃと平行、かつ、長辺３１ｂ，３１ｄに垂直に、上面３１に罫書きを行う場合を示す。図８（ａ）に示すように、前述したアーチ材ＡＭ１に罫書きを行う場合と同様に、直材ＳＴ１の長辺３１ｄに、アーチ材用罫書き具１の点Ｐ１，Ｐ２を点接触させると、直定規３の端縁ｓｅ１は、直材ＳＴ１の長辺３１ｂ，３１ｄの垂線上に位置決めされる。したがって、この状態で端縁ｓｅ１に沿って罫書きすれば、長辺３１ｂ，３１ｄに垂直な罫書き線３１１，３１２を引くことができる。
【００５１】
直材ＳＴ１は、図８（ｂ）に示すように、短辺３２ａ，３２ｃと、長辺３２ｂ，３２ｄとからなる長方形状の側面３２を有している。長辺３２ｂは、上面３１の長辺３１ｄを共有する。図８（ｂ）は、この側面３２に、長辺３２ｂに対し４５度の角度を形成する罫書き線３２１，３２２を引く場合を示す。直定規３は、一定の厚さを有し、端縁ｓｅ１を含む長方形状の面が形成されているので、この面を直材ＳＴ１の長辺３２ｂに沿って、上面３１にあてがう。端縁ｓｅ１は、前述したように、点Ｐ９を頂点とする直角、つまり、Ｌ字形外辺６を構成する外辺ｓ３と外辺ｓ４が形成する直角の二等分線上に位置し、かつ、端縁ｓｅ１は、長辺３２ｂにあてがわれているので、端縁ｓｅ１に対して４５度の角度に形成されている外辺ｓ４に沿って罫書きすれば、長辺３２ｂに対し４５度の角度が形成された罫書き線３２１，３２２を引くことができる。このように、アーチ材用罫書き具１を留め定規としても用いることができ、使い勝手がよい。
【００５２】
図９（ａ），図９（ｂ）は、円柱形状材ＣＹ１に罫書きを行う場合を示している。図９（ａ）は、基台２のＶ字形内辺５を構成する内辺ｓ１，ｓ２を円柱形状材ＣＹ１の側面に線接触させて、円柱形状材ＣＹ１の上面あるいは下面に、中心線を罫書きする技術であり、従来技術と同様である。基台２の内辺ｓ１，ｓ２を円柱形状材ＣＹ１の側面に線接触させ、直定規３を円柱形状材ＣＹ１の上面４１にあてがう。直定規３の端縁ｓｅ１は、前述したように、点Ｐ６を頂点とする鈍角、つまり、Ｖ字形内辺５を構成する内辺ｓ１，ｓ２で形成される鈍角の二等分線上に位置するとともに、点Ｐ９を頂点とする直角、つまり、Ｌ字形外辺６を構成する外辺ｓ３，ｓ４で形成される直角の二等分線上に位置するので、端縁ｓｅ１は、円柱形状材ＣＹ１の中心線上に位置決めされる。したがって、この状態で端縁ｓｅ１に沿って罫書きすれば、円柱形状材ＣＹ１の中心線の罫書き線を引くことができる。また、円柱形状材ＣＹ１を適当な角度回転させて、再度罫書き線を引けば、罫書かれた２本の罫書き線の交点が、円柱形状材ＣＹ１の中心点として求まる。円柱形状材ＣＹ１の曲率半径が大きくなり、内辺ｓ１，ｓ２を円柱形状材ＣＹ１の側面に線接触させることができない場合は、図５〜図７で説明した点接触の技術を用いればよい。
【００５３】
本考案のアーチ材用罫書き具１は、点Ｐ６を頂点とする角部（Ｖ字形内辺５を構成する内辺ｓ１と内辺ｓ２の交点の角部）の角度が鈍角に形成されているので、従来技術の罫書き具で対応できなかった曲率半径のより大きな円柱形状材等にも線接触により罫書きすることができる。
【００５４】
図９（ｂ）は、上面の曲率半径が大きく、線接触技術が適用できない円柱形状材ＣＹ２に本考案の点接触技術を用いて、円柱形状材ＣＹ２の上面の中心線である罫書き線５１１，５１２，５１３を引いた後、円柱形状材ＣＹ２の側面に罫書きを行う技術を示している。図９（ｂ）に示すように、点Ｐ１及び点Ｐ２を円柱形状材ＣＹ２の上面５１に点接触させ、直定規３を円柱形状材ＣＹ２の側面５２にあてがう。直定規３の端縁ｓｅ１は、点Ｐ６を頂点とする鈍角、つまりＶ字形内辺５を構成する内辺ｓ１，ｓ２で形成される鈍角の二等分線上に位置するとともに、点Ｐ９を頂点とする直角、つまり、Ｌ字形外辺を構成する外辺ｓ３，ｓ４で形成される直角の二等分線上に位置するので、端縁ｓｅ１は、円柱形状材ＣＹ２の上面５１に対して垂直である。したがって、この状態で端縁ｓｅ１に沿って罫書きすれば、上面５１に直角に交わる罫書き線５２１を引くことができる。
なお、図９（ａ）のように、曲率半径が小さく線接触技術を用いて罫書きを行う円柱形状材ＣＹ１の側面に、点接触技術を用いて罫書き線を引く場合、基台２の点Ｐ１，Ｐ２が、円柱形状材ＣＹ１の上面４１から外れてしまう場合があるので、その場合は、基台２の点Ｐ１，Ｐ２が点接触可能な長さを有する補助板を円柱形状材ＣＹ１の上面４１に載置すればよい。
【００５５】
以上のように、本考案に係るアーチ材用罫書き具によれば、曲率半径の小さいアーチ材、円柱形状材等には、線接触技術を適用し、線接触技術が適用できない曲率半径の大きいアーチ材、円柱形状材等には、点接触技術を適用して、正確、かつ、容易に罫書きを行うことができる。また、本考案に係るアーチ材用罫書き具によれば、点接触技術を適用することで、直材の罫書きを、正確、かつ、容易に行うことができる。なお、罫書き可能な線の長さは、直定規の端縁の長さに応じて可変できるので、加工材の大きさに合うように、複数種類の大きさの罫書き具を作成しておけばよい。
【００５６】
本考案に係るアーチ材用罫書き具は、材質は特に限定しないが、例えば、スチール、木、竹、黄道、アルミ、硬質樹脂等でもよい。また、本考案に係るアーチ材用罫書き具は、木製アーチ材以外にも、例えば、Ｃ形鋼、溝形鋼、Ｈ形鋼、Ｌアングル材等の罫書きにも適用できる。
【符号の説明】
【００５７】
１              アーチ材用罫書き具
２，Ｂ          基台
２ｆ            固定部分
３，ＳＥ        直定規
４Ｒ，４Ｌ      面
５              Ｖ字形内辺
６              Ｌ字形外辺
７ａ，７ｂ      線分（辺）
２１，３１，４１，５１            上面
２１ａ，２２ａ，２３ａ，２４ａ，３１１，３１２，３２１，３２２，５１１，５１２，５１３，５２１  罫書き線
２２            内周側面
２３            下面
２４            外周側面
３２，５２      側面
３１ａ，３１ｃ，３２ａ，３２ｃ    短辺
３１ｂ，３１ｄ，３２ｂ，３２ｄ    長辺
１２１，１２１’    罫書き具
１２２，１２２’    Ｖブロック
１２４，１２４’    Ｖ溝
ａ１                円弧
ＡＭ１              アーチ材
Ｃ１，Ｃ２，Ｃ３    円
ｃｌ１              曲線
ｃｐ１              中心点
ＣＹ１，ＣＹ２      円柱形状材
ｉｃ１              内周
ｏｃ１              外周
Ｐ１，Ｐ２，Ｐ３，Ｐ４，Ｐ５，Ｐ６，Ｐ７，Ｐ８，Ｐ９    点
ｒ１，ｒ２          半径
ｓ１，ｓ２          線分（内辺）
ｓ３，ｓ４          線分（外辺）
ｓｅ１              端縁
ｓｌ１              弦（線分）
ｓｌ２，ｓｌ３      線分
ｓｐ１，ｓｐ２      線分（辺）
ＳＴ１              直材
θ１                点Ｐ６を頂点とする角部（内辺ｓ１と内辺ｓ２の交点の角部）の角
θ１ａ              端縁ｓｅ１と内辺ｓ１の交点の角部の角
θ１ｂ              端縁ｓｅ１と内辺ｓ２の交点の角部の角
θ２                点Ｐ９を頂点とする角部（外辺ｓ３と外辺ｓ４の交点の角部）の角
θ２ａ              端縁ｓｅ１と外辺ｓ３の交点の角部の角
θ２ｂ              端縁ｓｅ１と外辺ｓ４の交点の角部の角
Ｗ，Ｗ’            ワーク
【図１】
0003200107.tif 000003
【図２】
0003200107.tif 000004
【図３】
0003200107.tif 000005
【図４】
0003200107.tif 000006
【図５】
0003200107.tif 000007
【図６】
0003200107.tif 000008
【図７】
0003200107.tif 000009
【図８】
0003200107.tif 000010
【図９】
0003200107.tif 000011
【図１０】
0003200107.tif 000012